(57)【特許請求の範囲】
【請求項１】
受信した画像情報信号を復号化し、復号化した画像データの最初の１ページ分の前記画像データをラインメモリに蓄積した後、送信側から送信されてくる受信状況の確認および継続して送信するページがある旨を示すＭＰＳ信号に応答して送信側に返送する受信正常および次ページ受信可能を示すＭＣＦ信号を監視し、最初の前記ＭＣＦ信号を検出したとき、以後受信する各ページの先頭の所定の位置に付加されている発信元情報を削除して印字することを特徴とするファクシミリ装置。
【請求項２】
受信した前記画像情報は第１頁目の送付案内と第２ページ以降の文書情報とからなり、前記ラインメモリに蓄積された前記画像データの前記第１のページの前記送付案内には前記発信元情報を印字し、前記第２ページ以降の前記文書情報には前記発信元情報の印字を削除することを特徴とする請求項１記載のファクシミリ装置。
【請求項３】
受信した画像情報信号を復号化し、復号化した画像データをラインメモリに蓄積した後、前記ラインメモリに蓄積された第２ページ以降の文書情報の前記画像データの各ページの先頭の所定の位置に付加されている発信元情報の範囲を検出し、検出した前記発信元情報の範囲の複数ラインを全白ラインに置換する置換処理手段を有することを特徴とする請求項１乃至２記載のファクシミリ装置。
【請求項４】
前記置換処理手段は、前記ラインメモリに蓄積された前記文書情報の前記画像データの各ページの先頭から連続する複数の全白ラインと、前記連続する複数の全白ラインから黒画素を含むラインに変わる境目である第１の位置と前記黒画素を含むラインから再び全白ラインに変わる境目である第２の位置を検出し、前記第１の位置から前記第２の位置までの黒画素を含む全ラインを全白ラインに置換することを特徴とする請求項３記載のファクシミリ装置。
【請求項５】
前記第１の位置から前記第２の位置までの範囲は、ページの先頭から前記第１の位置までのライン数とページの先頭から前記第２の位置までのライン数の差分を副走査線密度で除して求めることを特徴とする請求項４記載のファクシミリ装置。
【発明の詳細な説明】
【０００１】
【発明の属する技術分野】
本発明はファクシミリ装置に関し、特に受信画像データの所定の位置に付加されている発信元情報の位置を演算して特定し、特定した位置の発信元情報データを白に変換して印字する発信元情報の削除に関する。
【０００２】
【従来の技術】
ファクシミリの受信画像データには、発信元が送信した文書の画像データの外に、各ページの所定の位置に発信元情報（会社名、所属名、ファクシミリ番号、年月日、日時、文書番号、ページ番号等）が付加されており、受信画像データを印字すると、文書以外に発信元情報が印字される。
【０００３】
この発信元情報は文書を発信する際、発信側のファクシミリ装置が自動的に文書の各ページの所定の位置、例えばページの先頭に付加する。
【０００４】
一方、受信した文書に発信元情報が付加されていると不都合な場合がある。例えば、受信側で印字した文書をそのまま使用して別の資料を作成する場合（例えば工場からファクシミリ装置で送信されてくる資料を受信し、その資料をそのまま使用して営業部門が顧客へ提出する各種提案書や見積等を作成する場合）、付加されている発信元情報は不要である。
【０００５】
このようにファクシミリ装置で受信した文書を印字する際、発信元情報を削除する技術が、例えば特開平０９−１３９７８８号公報（第１の従来技術）および実開平０１−１７２７６３号公報（第２の従来技術）に提案されている。
【０００６】
第１の従来技術（特開平０９−１３９７８８号公報）のファクシミリ装置は、ＲＳ−２３２Ｃ等の通信インタフェースによりパーソナルコンピュータと接続し、パーソナルコンピュータからのＡＴＤコマンドにより、パーソナルコンピュータが作成した文書を電話回線を介して他のファクシミリ装置へ送信したり、パーソナルコンピュータからの文書を他のファクシミリ装置へ送信することなく印字するものである。
【０００７】
すなわち、ファクシミリ装置は、通常動作モードの外に、ＰＣ−ＦＡＸモード、プリントモードを備え、パーソナルコンピュータからＡＴＤコマンドを受信し、ＡＴＤコマンドがＰＣ−ＦＡＸモードを指定したときは、通常動作モードからＰＣ−ＦＡＸモードに切り替わり、パーソナルコンピュータからの文書（発信元情報含む）を電話回線を介して他のファクシミリ装置へ送信し、ＡＴＤコマンドがプリントモードを指定したとき、パーソナルコンピュータからの文書を蓄積した後、発信元情報を削除して文書のみを印字するものである。
【０００８】
このようにパーソナルコンピュータから送出されるＡＴＤコマンドに含まれているダイヤル情報により運用モードが選択され、プリントモードのとき、ファクシミリ装置をプリンタ代わりに使用するので、パーソナルコンピュータが作成した文書を印字する場合はパーソナルコンピュータの発信元情報は削除されるが、通常動作モードにおける他のファクシミリ装置から受信した画像データを印字する場合には他のファクシミリ装置の発信元情報は削除されない。
【０００９】
また、発信元情報を削除するための範囲を予め指定しておき、その指定範囲を白レベルに変換するので、白レベルに変換する範囲が固定され、送信側で発信元情報を付加する位置が異なる場合に発信元情報が完全に削除されない危険性がある。
【００１０】
第２の従来技術（実開平０１−１７２７６３号公報）のファクシミリ装置は、受信した文書データをバッファメモリに一時蓄積し、復号後ラインメモリへ１ラインずつ蓄積し、読み出し時に先頭ページの先端部に印字される発信元情報を検出し発信元情報メモリへ蓄積した後、発信元情報を読み出し発信元表示部へ表示して利用者に通知し、利用者は発信元表示部に表示された発信元情報から発信元を知り、発信元情報の印字／削除を選択するものである。
【００１１】
このように、文書に付加されている発信元情報をそのまま印字するか、削除するかをスイッチ操作により選択するので、選択スイッチが必要で製品コストの高騰、製品の大型化の要因となり、更に選択操作が面倒である。
【００１２】
また、文書に付加されている発信元情報をそのまま印字するか、削除するかを利用者に決定させるために、発信元情報を表示する発信元表示部が必要とり製品コストの高騰、製品の大型化の要因となる。
【００１３】
また、発信元情報を蓄積するメモリが必要となり製品コストの高騰、製品の大型化の要因となる。
【００１４】
発信元情報を削除するためには、利用者は常にファクシミリ装置の近傍にいて、発信元表示部を監視していなければならない。
【００１５】
【発明が解決しようとする課題】
上記第１の従来技術は、パーソナルコンピュータから送出されるＡＴＤコマンドに含まれているダイヤル情報により運用モードが選択され、プリントモードのとき、ファクシミリ装置をプリンタ代わりに使用するので、パーソナルコンピュータが作成した文書を印字する場合はパーソナルコンピュータの発信元情報は削除されるが、通常動作モードにおける他のファクシミリ装置から受信した画像データを印字する場合には他のファクシミリ装置の発信元情報は削除されない。
【００１６】
また、発信元情報を削除するための範囲を予め指定しておき、その指定範囲を白レベルに変換するので、白レベルに変換する範囲が固定され、送信側で発信元情報を付加する位置が異なる場合に発信元情報が完全に削除されない危険性がある。
【００１７】
また、第２の従来技術は、受信した文書データをバッファメモリに一時蓄積し、復号後ラインメモリへ１ラインずつ蓄積し、読み出し時に先頭ページの先端部に印字される発信元情報を検出し発信元情報メモリへ蓄積した後、発信元情報を読み出し発信元表示部へ表示して利用者に通知し、利用者は発信元表示部に表示された発信元情報から発信元を知り、発信元情報の印字／削除を選択するものである。
【００１８】
このように、文書に付加されている発信元情報をそのまま印字するか、削除するかをスイッチ操作により選択するので、選択スイッチが必要で製品コストの高騰、製品の大型化の要因となり、更に選択操作が面倒である。
【００１９】
また、文書に付加されている発信元情報をそのまま印字するか、削除するかを利用者に決定させるために、発信元情報を表示する発信元表示部が必要とり製品コストの高騰、製品の大型化の要因となる。
【００２０】
また、発信元情報を蓄積するメモリが必要となり製品コストの高騰、製品の大型化の要因となる。
【００２１】
発信元情報を削除するためには、利用者は常にファクシミリ装置の近傍にいて、発信元表示部を監視していなければならない。
【００２２】
本発明の目的は、操作が不要で、且つ構成が簡単な発信元情報削除機能を有するファクシミリの発信元記録削除方法を提供することにある。
【００２３】
【課題を解決するための手段】
本発明のファクシミリ装置は、受信した画像情報信号を復号化し、復号化した画像データの最初の１ページ分の前記画像データをラインメモリに蓄積した後、送信側から送信されてくる受信状況の確認および継続して送信するページがある旨を示すＭＰＳ信号に応答して送信側に返送する受信正常および次ページ受信可能を示すＭＣＦ信号を監視し、最初の前記ＭＣＦ信号を検出したとき、以後受信する各ページの先頭の所定の位置に付加されている発信元情報を削除して印字することを特徴とする。
【００２４】
また、受信した前記画像情報は第１頁目の送付案内と第２ページ以降の文書情報とからなり、前記ラインメモリに蓄積された前記画像データの前記第１のページの前記送付案内には前記発信元情報を印字し、前記第２ページ以降の前記文書情報には前記発信元情報の印字を削除することを特徴とする。
【００２５】
また、受信した画像情報信号を復号化し、復号化した画像データをラインメモリに蓄積した後、前記ラインメモリに蓄積された第２ページ以降の文書情報の前記画像データの各ページの先頭の所定の位置に付加されている発信元情報の範囲を検出し、検出した前記発信元情報の範囲の複数ラインを全白ラインに置換する置換処理手段を有することを特徴とする。
【００２６】
また、前記置換処理手段は、前記ラインメモリに蓄積された前記文書情報の前記画像データの各ページの先頭から連続する複数の全白ラインと、前記連続する複数の全白ラインから黒画素を含むラインに変わる境目である第１の位置と前記黒画素を含むラインから再び全白ラインに変わる境目である第２の位置を検出し、前記第１の位置から前記第２の位置までの黒画素を含む全ラインを全白ラインに置換することを特徴とする。
【００２７】
また、前記第１の位置から前記第２の位置までの範囲は、ページの先頭から前記第１の位置までのライン数とページの先頭から前記第２の位置までのライン数の差分を副走査線密度で除して求めることを特徴とする。
【００２９】
【発明の実施の形態】
本発明の実施の形態について図面を参照して説明する。
図１は本発明のシステム構成図、図２は発信元情報が印字された送付案内の図、図３は発信元情報が削除された文書の図、図４は発信元情報が付加された文書の図、図５はファクシミリ通信手順を示す図である。
【００３０】
最初に図１を参照し、本発明のについて説明する。
図１によれば、送信側ファクシミリ装置１０と受信側ファクシミリ装置２０が回線網３０を介して接続されている。
【００３１】
受信側ファクシミリ装置２０は、回線網３０を介して送信側ファクシミリ装置１０から受信した画像情報信号を復調するモデム２１と、モデム２１で復調された符号化データを所定の信号形式に復号化するＣＯＤＥＣ２２と、ＣＯＤＥＣ２２により復号化された画像データを１ライン毎に蓄積するラインバッファ２３と、ラインバッファ２３に蓄積された復号化画像データのうち１ページ目を除き継続する各ページの発信元情報を削除し復号化画像データを加工する置換処理手段２４と、加工後の復号化画像データを印字する印字部２５と、記録紙２６とから構成されている。
【００３２】
受信した画像データに付加されている発信元情報は次のような特徴を持つ。
【００３３】
▲１▼発信元情報は各ページの先頭（１０ｍｍ前後）にある。
【００３４】
▲２▼発信元情報の前後は全白ラインである（原稿の読み取り箇所は発信元情報に続く全白ラインの後になる。）
▲３▼発信元情報の幅は２〜５ｍｍ程度である。
【００３５】
▲４▼発信元情報は原稿を読み取った情報（文書）以外であるため原稿を斜めに読み込んだ場合でも水平に符号化される。
【００３６】
以上の特徴から各ページの先頭付近で全白ラインで囲まれた範囲の幅が２〜５ｍｍ程度であれば発信元情報と判断できる。
【００３７】
次に図１に図２、図３、図４、図５を併せて参照して受信動作について説明する。
【００３８】
通常、ファクシミリ装置により文書を送信する場合、原稿（文書）の先頭ページに図２に示すような送付案内を添付する。従って文書は２ページ以降になる。
【００３９】
送信側ファクシミリ装置１０は、読み取った原稿の画像データをラインバッファに蓄積し、送信する際ラインバッファから読み出した送信画像データに、予め登録されている発信元情報を各ページの先頭の所定位置に付加し、所定の符号化方式により符号化した後、回線網３０に対応する変調方式で符号化データを変調し宛先の受信ファクシミリ装置２０へ送信する。
【００４０】
受信側ファクシミリ装置２０は、送信ファクシミリ装置１０から送信された画像情報信号の変調データを回線網３０を介してモデム２１に着信し符号化データに復調する。
【００４１】
モデム２１で復調された符号化データは、ＣＯＤＥＣ２２で送信側の符号化方式に対応する復号化方式で復号化する。
【００４２】
ＣＯＤＥＣ２２で復号化された画像データは、ラインバッファ２３へ１ライン毎に所定のライン数蓄積する。この時のラインバッファ２３は図１に示す加工前のラインバッファの状態になる。
【００４３】
加工前のラインバッファには図２に示す発信元情報の先頭の「ＦＲＯＭ」「ＦＲ」の部分が表示されている。そして先頭から全白ラインが連続し、途中のラインＡからラインＢが発信元情報のラインで、ラインＢから全白ラインが連続している。
【００４４】
従来はこの状態のまま印字したので図２に示す１ページ目の送付案内および図４に示す２ページ以降の文書の全ページにも発信元情報が印字されていた。
【００４５】
本願は、１ページ目の送付案内にのみ発信元情報を印字し、２ページ目以降の文書には発信元情報を削除するために、次のような処理を行う。
【００４６】
ファクシミリ通信の場合、送信側ファクシミリ装置１０と受信側ファクシミリ装置２０との間で、図５に示す通信手順により送受信処理が行われる。
【００４７】
受信側ファクシミリ装置２０は、送信側ファクシミリ装置１０からページ毎の文書の符号化データの後に送信されてくるＭＰＳ信号に応答し送信側ファクシミリ装置へ返送するＭＣＦ信号を監視し、最初に送信側ファクシミリ装置へ返送するＭＣＦ信号を検出したとき、以降受信する文書のページの発信元情報を削除する。
【００４８】
置換処理手段２４は、ラインバッファ２３の加工前のデータから発信元情報を検出して加工後のラインバッファに示すように発信元情報の複数ラインを全白ラインに変換する。
【００４９】
変換処理部２４は、各ページの先頭から例えば２０ｍｍ程度の復号化が終了した時点で、先頭から続く全白ラインから黒画素があるラインに変わる位置（ラインＡ）と、黒画素があるラインと全白ラインに変わる位置（ラインＢ）を求め、ラインＡからラインＢまでの範囲を次の式で求める。
【００５０】
ラインＡからラインＢの範囲＝ラインＡ−ラインＢ／副走査線密度
例えば、１ラインから６１ラインが全白ライン、６２ラインから７７ラインが黒画素を含むライン、７８ラインから１００ラインが全白ライン、副走査線密度７．７Ｌｉｎｅ／ｍｍとすると、
0003586634.tif 000002
となり、ラインＡからラインＢまでの範囲が発信元情報に相当する範囲（２〜５ｍｍ）程度であれば、発信元情報と判断する。
【００５１】
このようにラインＡとラインＢの範囲（発信元情報の範囲）を特定し、ラインＡからラインＢの範囲の画素を全て白に加工（置換）して加工後のラインバッファ２３に示すように全白ラインとする。
【００５２】
加工後のラインバッファ２３に示すように、発信元情報の範囲の全ラインが全白ラインに置換された後、ラインバッファ２３のデータを読み出し印字部２５へ出力し記録紙２６に印字することにより、１ページ目の送付案内には発信元情報が印字され、２ページ目以降の文書の各ページには発信元情報が削除されて印字される。
【００５３】
【発明の効果】
以上説明したように本発明のファクシミリ装置は、受信した画像情報信号に付加せれている発信元情報の範囲を検出すると共に、ＭＣＦ信号の送信を監視し、ＭＣＦ信号の送信を検出したとき、発信元情報の範囲の全ラインを全白ラインに置換した後、印字するように構成したので、文書送信時に第１頁目に使用する送付案内にのみ発信元情報を印字し、第２ページ目以降の文書には発信元情報を削除して印字することができる。
【００５４】
従って、受信した文書を流用して他の資料作成する場合に便利である。
【００５５】
また、作成他資料を第３者提出する場合、発信元情報に印字がないので、機密を保持する事ができる。
【図面の簡単な説明】
【図１】本発明の本発明のシステム構成図である。
【図２】本発明の発信元情報が印字された送付案内の図である。
【図３】本発明の発信元情報が削除された文書の図である。
【図４】発信元情報が付加された文書の図である。
【図５】ファクシミリ通信手順を示す図である。
【符号の説明】
１０    送信側ファクシミリ装置
２０    受信側ファクシミリ装置
２１    モデム
２２    ＣＯＤＥＣ
２３    ラインバッファ
２４    置換処理手段
２５    印字部
２６    記録紙
３０    回線網
【図１】
0003586634.tif 000003
【図２】
0003586634.tif 000004
【図３】
0003586634.tif 000005
【図４】
0003586634.tif 000006
【図５】
0003586634.tif 000007